【手続補正書】
【提出日】平成26年9月3日(2014.9.3)
【手続補正１】
【補正対象書類名】明細書
【補正対象項目名】発明の名称
【補正方法】変更
【補正の内容】
【発明の名称】撮像装置、画像データ処理方法、およびプログラム
【手続補正２】
【補正対象書類名】明細書
【補正対象項目名】０００９
【補正方法】変更
【補正の内容】
【０００９】
本発明は、第一の焦点距離を有する第一の撮像手段と、前記第一の焦点距離より長い焦点距離を有する第二の撮像手段とを少なくとも備えた複数の撮像手段と、前記第一の撮像手段により得られた第一の画像データを手ぶれ補正することなく出力し、前記第二の撮像手段により得られた第二の画像データを手ぶれ補正した後に出力する出力手段とを備えたことを特徴とする撮像装置である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
第一の焦点距離を有する第一の撮像手段と、前記第一の焦点距離より長い焦点距離を有する第二の撮像手段とを少なくとも備えた複数の撮像手段と、
前記第一の撮像手段により得られた第一の画像データを手ぶれ補正することなく出力し、前記第二の撮像手段により得られた第二の画像データを手ぶれ補正した後に出力する出力手段と
を備えたことを特徴とする撮像装置。
【請求項２】
一回の撮像動作に応じて、前記第一の撮像手段により前記第一の画像データが得られ、前記第二の撮像手段により前記第二の画像データが得られることを特徴とする請求項１に記載の撮像装置。
【請求項３】
前記出力手段は、前記撮像手段の撮像レンズ又は撮像素子を駆動して、前記第二の画像データに対して手ぶれ補正を行うことを特徴とする請求項１又は２に記載の撮像装置。
【請求項４】
一回の撮像動作に応じて、前記第二の撮像手段により被写体を複数回撮像して、複数の画像を示す前記第二の画像データを取得し、
前記出力手段は、前記第二の画像データが示す複数の画像を合成して、手ぶれ補正を行うことを特徴とする請求項１又は２に記載の撮像装置。
【請求項５】
前記出力手段は、前記第二の画像データが示す複数の画像の位置合わせを行い、位置合わせされた画像を合成して、手ぶれ補正を行うことを特徴とする請求項４に記載の撮像装置。
【請求項６】
前記被写体の撮像回数は、前記第二の撮像手段の焦点距離に基づいて決定されることを特徴とする請求項４又は５に記載の撮像装置。
【請求項７】
撮影の際の手ぶれ量を検出する手ぶれ検出手段を更に備え、
前記出力手段は、前記手ぶれ量に基づいて、前記第二の画像データに対して手ぶれ補正を行うことを特徴とする請求項１乃至６のいずれか一項に記載の撮像装置。
【請求項８】
撮像する際の露光条件を取得する露光条件取得手段を更に備え
前記出力手段は、前記露光条件に基づいて前記第二の画像データに対して手ぶれ補正を行うことを特徴とする請求項１乃至７のいずれか一項に記載の撮像装置。
【請求項９】
前記露光条件に基づいて、前記第二の画像データを補正するための手ぶれ補正用関数を生成する関数生成手段を更に備えたことを特徴とする請求項８に記載の撮像装置。
【請求項１０】
第一の焦点距離を有する第一の撮像手段と、
前記第一の焦点距離より長い第二の焦点距離を有する第二の撮像手段と、
一回の撮像動作に応じて、前記第一の撮像手段により被写体を一回撮像して第一の画像データを取得し、かつ、前記第二の撮像手段により被写体を複数回撮像して第二の画像データを取得する撮像手段制御手段と、
前記第二の画像データが示す画像を合成して、合成された画像データを作る手ぶれ補正手段と、
前記第一の画像データと、前記合成された画像データとのうちの少なくとも一方を出力する出力手段と
を備えたことを特徴とする撮像装置。
【請求項１１】
第一の焦点距離を有する第一の撮像手段と、前記第一の焦点距離より長い焦点距離を有する第二の撮像手段とを少なくとも備えた複数の撮像手段と、
前記第一の撮像手段により得られた画像データを、第一の手ぶれ補正を行った後に出力し、前記第二の撮像手段により得られた画像データを、前記第一の手ぶれ補正とは異なる第二の手ぶれ補正を行った後に出力する出力手段と
を備えたことを特徴とする撮像装置。
【請求項１２】
撮像装置の画像データ処理方法であって、
前記撮像装置は、第一の焦点距離を有する第一の撮像手段と、前記第一の焦点距離より長い焦点距離を有する第二の撮像手段とを少なくとも含む複数の撮像手段を備え、
前記方法は、前記第一の撮像手段により得られた第一の画像データを手ぶれ補正することなく出力し、前記第二の撮像手段により得られた第二の画像データを手ぶれ補正した後に出力する出力ステップを備えたことを特徴とする画像データ処理方法。
【請求項１３】
一回の撮像動作に応じて、前記第一の撮像手段により前記第一の画像データが得られ、前記第二の撮像手段により前記第二の画像データが得られることを特徴とする請求項１２に記載の画像データ処理方法。
【請求項１４】
前記出力ステップにおいて、前記撮像手段の撮像レンズ又は撮像素子を駆動して、前記第二の画像データに対して手ぶれ補正を行うことを特徴とする請求項１２又は１３に記載の画像データ処理方法。
【請求項１５】
一回の撮像動作に応じて、前記第二の撮像手段により被写体を複数回撮像して、複数の画像を示す前記第二の画像データを取得し、
前記出力ステップにおいて、前記第二の画像データが示す複数の画像を合成して、手ぶれ補正を行うことを特徴とする請求項１２又は１３に記載の画像データ処理方法。
【請求項１６】
前記出力ステップにおいて、前記第二の画像データが示す複数の画像の位置合わせを行い、位置合わせされた画像を合成して、手ぶれ補正を行うことを特徴とする請求項１５に記載の画像データ処理方法。
【請求項１７】
前記被写体の撮像回数は、前記第二の撮像手段の焦点距離に基づいて決定されることを特徴とする請求項１５又は１６に記載の画像データ処理方法。
【請求項１８】
撮影の際の手ぶれ量を検出する手ぶれ検出ステップを更に備え、
前記出力ステップにおいて、前記手ぶれ量に基づいて、前記第二の画像データに対して手ぶれ補正を行うことを特徴とする請求項１２乃至１７のいずれか一項に記載の画像データ処理方法。
【請求項１９】
撮像する際の露光条件を取得する露光条件取得ステップを更に備え
前記出力ステップにおいて、前記露光条件に基づいて前記第二の画像データに対して手ぶれ補正を行うことを特徴とする請求項１２乃至１８のいずれか一項に記載の画像データ処理方法。
【請求項２０】
前記露光条件に基づいて、前記第二の画像データを補正するための手ぶれ補正用関数を生成する関数生成ステップを更に備えたことを特徴とする請求項１９に記載の画像データ処理方法。
【請求項２１】
撮像装置の画像データ処理方法であって、
前記撮像装置は、第一の焦点距離を有する第一の撮像手段と、前記第一の焦点距離より長い焦点距離を有する第二の撮像手段とを少なくとも含む複数の撮像手段を備え、
前記方法は、
一回の撮像動作に応じて、前記第一の撮像手段により被写体を一回撮像して第一の画像データを取得し、かつ、前記第二の撮像手段により被写体を複数回撮像して第二の画像データを取得するステップと、
前記第二の画像データが示す画像を合成して、合成画像データを作るステップと、
前記第一の画像データと、前記合成画像データとのうちの少なくとも一方を出力するステップと
を備えたことを特徴とする画像データ処理方法。
【請求項２２】
撮像装置の画像データ処理方法であって、
前記撮像装置は、第一の焦点距離を有する第一の撮像手段と、前記第一の焦点距離より長い焦点距離を有する第二の撮像手段とを少なくとも含む複数の撮像手段を備え、
前記方法は、
前記第一の撮像手段により得られた画像データを、第一の手ぶれ補正を行った後に出力し、前記第二の撮像手段により得られた画像データを、前記第一の手ぶれ補正とは異なる第二の手ぶれ補正を行った後に出力する出力ステップ
を備えたことを特徴とする画像データ処理方法。
【請求項２３】
コンピュータを請求項１乃至１１のいずれか一項に記載の撮像装置の各手段として機能させるプログラム。